(57)【要約】    【課題】  高価且つ複雑な測定機器を用いることなく、簡単に測定できるショットピ−ニング強度の測定方法を提供する。    【解決手段】  ショットピ−ニング処理を施す前のアルメンストリップの長手方向の水平直線全長を測定する工程と、該アルメンストリップを保持具に締結固定した状態で、アルメンストリップ表面に投射材を投射してショットピ−ニング処理を施す工程と、前記締結固定を解除して湾曲したショットピ−ニング処理後のアルメンストリップを取り外す工程と、該取り外されたショットピ−ニング処理後のアルメンストリップの長手方向の水平直線全長を測定して前記ショットピ−ニング処理を施す前のアルメンストリップの長手方向の水平直線全長との差を求める工程と、を有する。【選択図】    図１
2005114454.tif 000002
【特許請求の範囲】
【請求項１】
ショットピ−ニング処理を施す前のアルメンストリップの長手方向の水平直線全長を測定する工程と、該アルメンストリップを保持具に締結固定した状態で、アルメンストリップ表面に投射材を投射してショットピ−ニング処理を施す工程と、前記締結固定を解除して湾曲したショットピ−ニング処理後のアルメンストリップを取り外す工程と、該取り外されたショットピ−ニング処理後のアルメンストリップの長手方向の水平直線全長を測定して前記ショットピ−ニング処理を施す前のアルメンストリップの長手方向の水平直線全長との差を求める工程と、を有することを特徴とするショットピ−ニング強度の測定方法。
【請求項２】
ショットピ−ニング処理を施す前のアルメンストリップ裏面の長手方向両端より内側の所望の２点間の水平直線長さを測定する工程と、該アルメンストリップを保持具に締結固定した状態で、アルメンストリップ表面に投射材を投射してショットピ−ニング処理を施す工程と、前記締結固定を解除して湾曲したショットピ−ニング処理後のアルメンストリップを取り外す工程と、該取り外されたショットピ−ニング処理後のアルメンストリップ裏面の長手方向両端より内側の所望の２点間の水平直線長さを測定して前記ショットピ−ニング処理を施す前のアルメンストリップ裏面の長手方向両端より内側の所望の２点間の水平直線長さとの差を求める工程と、を有することを特徴とするショットピ−ニング強度の測定方法。
【発明の詳細な説明】
【技術分野】
【０００１】
本発明は、ショットピ−ニング強度の測定方法に関する。
【背景技術】
【０００２】
従来、ショットピ−ニング強度の測定は、一般にアルメンストリップによるアークハイト値を測定している。即ち、アルメンストリップを保持具に固定し、投射材を投射した後、保持具から取り外してアルメンストリップの弧高を専用のアルメンケ−ジで測るようにしている。また、このほかにも、ショットピ−ニング受けプレ−トの裏面に、そのプレ−トの変位量を測定する検出手段を設けたり、ショットピ−ニング受け羽根車に、その羽根車の回転変位量を測定する検出手段を設けたり、ショットピ−ニング受け筒に、ショットピ−ニング粒子のショット投射量を測定する検出手段を設けたりして測定することが公知にされている（例えば、特許文献１参照）。
【０００３】
【特許文献１】実開平４−９６０３４号公報（第１−７頁、第１−７図）
【発明の開示】
【発明が解決しようとする課題】
【０００４】
しかし、上記のような測定方法では、専用のアルメンケ−ジや各種検出手段等の高価且つ複雑な測定機器を用いる必要があるため、コストアップにつながるという問題がある。
本発明は上記の問題に鑑みて成されたもので、高価且つ複雑な測定機器を用いることなく、簡単に測定できるショットピ−ニング強度の測定方法を提供することを目的とする。
【課題を解決するための手段】
【０００５】
上記の目的を達成するために本発明におけるショットピ−ニング強度の測定方法は、ショットピ−ニング処理を施す前のアルメンストリップの長手方向の水平直線全長を測定する工程と、該アルメンストリップを保持具に締結固定した状態で、アルメンストリップ表面に投射材を投射してショットピ−ニング処理を施す工程と、前記締結固定を解除して湾曲したショットピ−ニング処理後のアルメンストリップを取り外す工程と、該取り外されたショットピ−ニング処理後のアルメンストリップの長手方向の水平直線全長を測定して前記ショットピ−ニング処理を施す前のアルメンストリップの長手方向の水平直線全長との差を求める工程と、を有することを特徴とする。
【０００６】
また本発明におけるショットピ−ニング強度の測定方法は、ショットピ−ニング処理を施す前のアルメンストリップ裏面の長手方向両端より内側の所望の２点間の水平直線長さを測定する工程と、該アルメンストリップを保持具に締結固定した状態で、アルメンストリップ表面に投射材を投射してショットピ−ニング処理を施す工程と、前記締結固定を解除して湾曲したショットピ−ニング処理後のアルメンストリップを取り外す工程と、該取り外されたショットピ−ニング処理後のアルメンストリップ裏面の長手方向両端より内側の所望の２点間の水平直線長さを測定して前記ショットピ−ニング処理を施す前のアルメンストリップ裏面の長手方向両端より内側の所望の２点間の水平直線長さとの差を求める工程と、を有することを特徴とする。
【発明の効果】
【０００７】
本発明は、ショットピ−ニング処理を施す前のアルメンストリップの長手方向の水平直線全長を測定する工程と、該アルメンストリップを保持具に締結固定した状態で、アルメンストリップ表面に投射材を投射してショットピ−ニング処理を施す工程と、前記締結固定を解除して湾曲したショットピ−ニング処理後のアルメンストリップを取り外す工程と、該取り外されたショットピ−ニング処理後のアルメンストリップの長手方向の水平直線全長を測定して前記ショットピ−ニング処理を施す前のアルメンストリップの長手方向の水平直線全長との差を求める工程と、を有するようにしたから、又は、ショットピ−ニング処理を施す前のアルメンストリップ裏面の長手方向両端より内側の所望の２点間の水平直線長さを測定する工程と、該アルメンストリップを保持具に締結固定した状態で、アルメンストリップ表面に投射材を投射してショットピ−ニング処理を施す工程と、前記締結固定を解除して湾曲したショットピ−ニング処理後のアルメンストリップを取り外す工程と、該取り外されたショットピ−ニング処理後のアルメンストリップ裏面の長手方向両端より内側の所望の２点間の水平直線長さを測定して前記ショットピ−ニング処理を施す前のアルメンストリップ裏面の長手方向両端より内側の所望の２点間の水平直線長さとの差を求める工程と、を有するようにしたから、高価且つ複雑な測定機器を用いることなく、簡単に測定できる等種々の効果がある。
【発明を実施するための最良の形態】
【０００８】
以下、本発明の実施の形態を図面に基づいて詳しく説明する。最初に図１に基づいて第１実施形態について説明する。まず、図示されない測定器具でショットピ−ニング処理を施す前のアルメンストリップＴの長手方向の水平直線全長Ｌ１を測定する（図１イ参照）。この際、アルメンストリップＴは、まだ水平板であるため、前記水平直線全長Ｌ１はアルメンストリップＴの表面Ｔａ、裏面Ｔｂのどちらで測定してもかまわない。
【０００９】
次に該アルメンストリップＴを締結具１、１で保持具２に４点締結固定した状態（図１ロ参照）で、図示されないショットピ−ニング装置でアルメンストリップ表面Ｔａに投射材を投射してショットピ−ニング処理を施す。その後、前記４点締結固定を解除して湾曲したショットピ−ニング処理後のアルメンストリップｔを取り外す（図１ハ参照）。そして、該取り外されたショットピ−ニング処理後のアルメンストリップｔの長手方向の水平直線全長を測定して前記ショットピ−ニング処理を施す前のアルメンストリップＴの長手方向の水平直線全長Ｌ１との差を求める。なお前記ショットピ−ニング処理後のアルメンストリップｔの長手方向の水平直線全長は、表面ｔａの水平直線全長Ｌ２であるか裏面ｔｂの水平直線全長Ｌ３であるかは問わない。したがって、前記差は、Ｌ１−Ｌ２、もしくは、Ｌ１−Ｌ３の値になる。
【００１０】
次に図２に基づいて第２実施形態について説明する。まず、図示されない測定器具でショットピ−ニング処理を施す前のアルメンストリップ裏面Ｔｂの長手方向両端より内側の所望の２点間の水平直線長さＬ４を測定する（図２イ参照）。この際、該水平直線長さＬ４の測定は、アルメンストリップ裏面Ｔｂにケガキ線Ｋ、Ｋを入れて、この間を測定する。
【００１１】
次に該アルメンストリップＴを締結具１、１で保持具２に４点締結固定した状態（図２ロ参照）で、図示されないショットピ−ニング装置でアルメンストリップ表面Ｔａに投射材を投射してショットピ−ニング処理を施す。その後、前記４点締結固定を解除して湾曲したショットピ−ニング処理後のアルメンストリップｔを取り外す（図２ハ参照）。そして、該取り外されたショットピ−ニング処理後のアルメンストリップ裏面ｔｂの長手方向両端より内側の所望の２点間の水平直線長さＬ５を測定して前記ショットピ−ニング処理を施す前のアルメンストリップ裏面Ｔｂの長手方向両端より内側の所望の２点間の水平直線長さＬ４との差を求める。この際、該水平直線長さＬ５の測定は、ショットピ−ニング処理後における前記ケガキ線Ｋ、Ｋ間を測定する。なお前記差は、Ｌ４−Ｌ５の値になる。
【００１２】
上述のようにして得られたＬ１−Ｌ２、Ｌ１−Ｌ３、Ｌ４−Ｌ５の値は、アークハイト値のようにショットピ−ニング強度の指標として利用できる。このため、前記Ｌ１−Ｌ２、Ｌ１−Ｌ３、Ｌ４−Ｌ５の値は、アークハイト値のようにショットピ−ニング装置を管理する目的にも利用することができる。また本発明は、専用のアルメンケ−ジや各種検出手段等の高価且つ複雑な測定機器を用いるショットピ−ニング強度の測定方法に比べて、高価且つ複雑な測定機器を用いることなく、簡単に測定できるという利点がある。
【００１３】
なお本発明における測定器具は、前記Ｌ１〜Ｌ５の値が正確に測定できるものであればその種類は問わない。例えば、ものさし、ノギス、マイクロメータ等の簡易なものであってもよい。
【００１４】
また本発明におけるアルメンストリップは、その種類を問わない。即ち、Ｎストリップ、Ａストリップ、Ｃストリップのいずれであってもよい。
【図面の簡単な説明】
【００１５】
【図１】本発明の第１実施形態を示す図であって、（イ）：ショットピ−ニング処理を施す前のアルメンストリップの正面図である。（ロ）：アルメンストリップを保持具に締結固定した状態を示す正面図及び右側面図である。（ハ）：ショットピ−ニング処理後のアルメンストリップの正面図である。
【図２】本発明の第２実施形態を示す図であって、（イ）：ショットピ−ニング処理を施す前のアルメンストリップの正面図及び底面図である。（ロ）：アルメンストリップを保持具に締結固定した状態を示す正面図及び右側面図である。（ハ）：ショットピ−ニング処理後のアルメンストリップの正面図及び底面図である。
【符号の説明】
【００１６】
２  保持具
Ｔ  ショットピ−ニング処理を施す前のアルメンストリップ
Ｌ１  ショットピ−ニング処理を施す前のアルメンストリップの長手方向の水平直線全長
Ｔａ  ショットピ−ニング処理を施す前のアルメンストリップ表面
ｔ  ショットピ−ニング処理後のアルメンストリップ
Ｌ２  Ｌ３  ショットピ−ニング処理後のアルメンストリップの長手方向の水平直線全長
Ｔｂ  ショットピ−ニング処理を施す前のアルメンストリップ裏面
Ｌ４  ショットピ−ニング処理を施す前のアルメンストリップ裏面の長手方向両端より内側の所望の２点間の水平直線長さ
ｔｂ  ショットピ−ニング処理後のアルメンストリップ裏面
Ｌ５  ショットピ−ニング処理後のアルメンストリップ裏面の長手方向両端より内側の所望の２点間の水平直線長さ
【図１】
2005114454.tif 000003
【図２】
2005114454.tif 000004